(57)【要約】【課題】複写の応用的な機能を実行する場合においてその出力結果となる内容を出力前に確認できるようにするデジタル複合機を、提供する。【解決手段】複写の実行の指示を入力部に入力する前に、応用的機能としての所定の画像処理の実行の指示をコピー操作ユニット１１に入力したときには、プレスキャンにて取得された画像データによる画像に対して所定の画像処理を施したあとの画像が、コピー操作ユニット１１に表示されるプレビュー画面内に、示される。また、その画像の形態は、そのプレビュー画面内のパラメータ選択手段を通じてパラメータを変更することにより、変化する。【選択図】図２
2006279885.tif 000002
【特許請求の範囲】
【請求項１】
原稿上の画像を読み取ってその画像の画像データを生成するための原稿読取部，
画像データによる画像の用紙への印刷を行うための印刷部，
利用者からの各種の指示を受け付けるための入力部，
各種の画面を表示するための表示部，
複写の実行条件を前記表示部に表示させ、前記実行条件の変更について前記入力部において受け付けるとともに、その入力部において複写の実行の指示を受け付けたときには、原稿上の画像の読み取りが行われるよう前記原稿読取部を制御し、その読み取りにより生成された画像データによる画像の用紙への印刷が前記実行条件に従って行われるように前記印刷部を制御する制御部
を備え、
前記制御部は、
前記入力部において、複写の実行の指示を受け付ける前に、複写の応用的機能としての所定の画像処理の実行の指示を受け付けたときには、原稿上の画像の読み取りが行われるよう前記原稿読取部を制御して、前記原稿読取部から画像データを取得し、
前記所定の画像処理を実行するために必要なパラメータを選択するためのパラメータ選択手段と、選択されたパラメータでのその所定の画像処理の実行の決定を指示するための実行決定指示手段とを含むとともに、前記原稿読取部から取得した画像データによる画像を前記パラメータ選択手段を通じて選択されたパラメータの示す形態にて示すプレビュー画面を、前記表示部へ表示し、
前記実行決定指示手段を通じて前記所定の画像処理の実行が決定されたときには、その後に前記入力部において複写の実行の指示を受け付けた際に、前記原稿読取部が生成する画像データに対し、その画像が選択済パラメータの示す形態の画像となるように前記所定の画像処理を施すようにする
ことを特徴とするデジタル複写機。
【請求項２】
前記制御部は、前記所定の画像処理を実行するために必要なパラメータのうち、画像データの再取得が必要なパラメータについての変更が、前記パラメータ選択手段を通じて行われた場合には、原稿上の画像の読み取りが行われるよう前記原稿読取部を制御して、再度、前記原稿読取部から画像データを取得する
ことを特徴とする請求項１記載のデジタル複写機。
【請求項３】
前記制御部は、前記所定の画像処理が複数枚の原稿を必要とするものである場合には、原稿上の画像の読み取りが行われるよう前記原稿読取部を制御して前記原稿読取部から画像データを取得する前に、複数枚の原稿が必要である旨を前記表示部に表示する
ことを特徴とする請求項１又は２記載のデジタル複写機。
【発明の詳細な説明】
【技術分野】
【０００１】
本発明は、デジタル複写機に、関する。
【背景技術】
【０００２】
周知のように、デジタル複写機は、原稿上の画像の画像データを生成してメモリに一旦取り込み、取り込んだ画像データによる画像の用紙への印刷を行うようになっている。
【０００３】
デジタル複写機の中には、画像データによる画像の用紙への印刷を行う前にその画像の画質調整を行えるようになっているものがある。画質調整を行う場合、原稿上の画像の低い解像度での読み取り（プレスキャン）が行われ、データ量の小さい画像データによる画像を含むプレビュー画面が操作表示盤の表示部に表示される。そして、操作表示盤上の操作部が操作されることによって、表示中の画像に対して任意の画質調整が行われた後、操作表示盤の操作部が操作されて複写の実行が指示されると、高い解像度での画像の読み取りが行われ、画質調整された画像が用紙に印刷される。
【特許文献１】特開２０００−０６２２８８号公報
【特許文献２】特開平１０−１２６６０６号公報
【発明の開示】
【発明が解決しようとする課題】
【０００４】
ところで、前述した従来のデジタル複写機の多くは、応用的な機能として、複雑な画像処理が行えるようになっている。その複雑な画像処理としては、例えば、一枚の用紙の片面に対して複数画像が割り付けられるようにするための画像処理（割り付け機能），一枚の原稿の片面上にある複数画像が別々の用紙へ印刷されるようにするための画像処理（ページ連写機能），画像が印刷される用紙面上に綴じ代が形成されるようにするための画像処理（綴じ代機能），及び、画像の内容が本の見開きである場合においてその画像内部の周縁又は中央に形成される暗部が除去されるようにするための画像処理（影消し機能）がある。
【０００５】
これらの画像処理が行われる際、画像の用紙内での位置や画像の内容が適正に調整されていないと、出力結果が悪化する。にも拘わらず、前述したような従来のデジタル複写機は、画像の用紙内での位置や画像の内容を任意に調整してその内容を出力前に確認できるというようには、構成されていなかった。このため、従来のデジタル複写機によると、調整をしては複写を実行するという作業を繰り返し行う必要があるため、用紙やトナーや時間が浪費されることとなっていた。
【０００６】
本発明は、前述したような従来の事情に鑑みてなされたものであり、その課題は、複写の応用的な機能を実行する場合においてその出力結果となる内容を出力前に確認できるようにすることにある。
【課題を解決するための手段】
【０００７】
上記の課題を解決するために発明されたデジタル複写機は、原稿上の画像を読み取ってその画像の画像データを生成するための原稿読取部，画像データによる画像の用紙への印刷を行うための印刷部，利用者からの各種の指示を受け付けるための入力部，各種の画面を表示するための表示部，複写の実行条件を前記表示部に表示させ、前記実行条件の変更について前記入力部において受け付けるとともに、その入力部において複写の実行の指示を受け付けたときには、原稿上の画像の読み取りが行われるよう前記原稿読取部を制御し、その読み取りにより生成された画像データによる画像の用紙への印刷が前記実行条件に従って行われるように前記印刷部を制御する制御部を備え、前記制御部は、前記入力部において、複写の実行の指示を受け付ける前に、複写の応用的機能としての所定の画像処理の実行の指示を受け付けたときには、原稿上の画像の読み取りが行われるよう前記原稿読取部を制御して、前記原稿読取部から画像データを取得し、前記所定の画像処理を実行するために必要なパラメータを選択するためのパラメータ選択手段と、選択されたパラメータでのその所定の画像処理の実行の決定を指示するための実行決定指示手段とを含むとともに、前記原稿読取部から取得した画像データによる画像を前記パラメータ選択手段を通じて選択されたパラメータの示す形態にて示すプレビュー画面を、前記表示部へ表示し、前記実行決定指示手段を通じて前記所定の画像処理の実行が決定されたときには、その後に前記入力部において複写の実行の指示を受け付けた際に、前記原稿読取部が生成する画像データに対し、その画像が選択済パラメータの示す形態の画像となるように前記所定の画像処理を施すようにすることを、特徴としている。
【０００８】
このように構成されると、複写の実行の指示を入力部に入力する前に、応用的機能としての所定の画像処理の実行の指示を入力したときには、プレスキャンにて取得された画像データによる画像に対して所定の画像処理を施したあとの画像が、表示部に表示されるプレビュー画面内に、示される。然も、その画像の形態は、そのプレビュー画面内のパラメータ選択手段を通じてパラメータを変更することにより、変化する。このため、利用者は、所定の画像処理による画像の形態を任意に調整することができるとともに、その調整後の画像、すなわち、出力結果となる画像の内容を、出力前に表示部において確認することができる。
【発明の効果】
【０００９】
従って、本発明によれば、複写の応用的な機能を実行する場合においてその出力結果となる内容を出力前に確認できるようになり、その結果として、用紙やトナーや時間の浪費が抑制されることとなる。
【発明を実施するための最良の形態】
【００１０】
以下、添付図面に基づいて、本発明を実施するための一つの形態である複写機について説明する。
【００１１】
まず、本実施形態の複写機の構成を説明する。
【００１２】
図１は、本実施形態の複写機１０の構成図である。複写機１０は、コピー操作ユニット１１，スキャナ１２，及び、プリンタ１３からなり、コピー操作ユニット１１は、スキャナ１２とプリンタ１３のそれぞれに対し、専用のケーブルにて接続されている。
【００１３】
コピー操作ユニット１１は、スキャナ１２及びプリンタ１３を制御することにより、図示せぬ原稿台上に載せられた原稿の画像のコピーをスキャナ１２及びプリンタ１３に生成させる装置である。具体的なハードウェア構成の説明及び図示は省略するが、このコピー操作ユニット１１は、液晶ディスプレイに透明な接触位置センサを重ねたタッチスクリーン，テンキーやスタートボタンやストップボタン等の各種の押しボタン，スキャナ１２及びプリンタ１３との間のデータの遣り取りを制御するための通信インターフェースポート，それらを制御するコンピュータ（ＣＰＵ，ＲＯＭ，ＲＡＭ，ＥＥＰＲＯＭ，各種インタフェース回路等を組み合わせた装置）からなっている。なお、タッチスクリーンを構成する接触位置センサと各種の押しボタンとは、前述した入力部に相当しており、タッチスクリーンを構成する液晶ディスプレイは、前述した表示部に相当しており、コンピュータは、前述した制御部に相当している。
【００１４】
スキャナ１２は、原稿台上に載せられた原稿に描かれている画像を読み取って、読み取った画像の描画をするための画像データを生成する機器である。このスキャナ１２は、コピー操作ユニット１１との間のデータの遣り取りを制御するための通信インターフェースポートを備える他は、一般的なスキャナと同様に、走査ユニット，及び、コンピュータ（ＣＰＵ，ＲＯＭ，ＲＡＭ，ＥＥＰＲＯＭ，各種インタフェース回路等を組み合わせた装置）を備えている。このため、ここでは、ハードウエア構成の具体的な説明を省略している。なお、このスキャナ１２は、コピー操作ユニット１１に接続しなくても、パーソナルコンピュータの周辺機器として単独で使用できるものとなっている。
【００１５】
プリンタ１３は、画像データに基づく画像を用紙に印刷する機器である。このプリンタ１３は、コピー操作ユニット１１との間のデータの遣り取りを制御するための通信インターフェースポートを備える他、は、一般的なプリンタと同様に、走査ユニット，現像ユニット，転写ユニット，定着ユニット，搬送ユニット，コンピュータ（ＣＰＵ，ＲＯＭ，ＲＡＭ，ＥＥＰＲＯＭ，各種インタフェース回路等を組み合わせた装置）を備えている。このため、ここでは、ハードウエア構成の具体的な説明を省略している。なお、このプリンタ１３は、コピー操作ユニット１１に接続しなくても、パーソナルコンピュータの周辺機器として単独で使用できるものとなっている。
【００１６】
次に、本複写機１０が利用者にコピーの実行を指示される時に、コピー操作ユニット１１が実行する処理について説明する。
【００１７】
コピー操作ユニット１１は、図示せぬタッチスクリーンや図示せぬ押しボタンを通じて利用者からコピー条件（スキャナ１２及びプリンタ１３の制御条件）に関する指定を得て、図示せぬスタートボタンが押下されると、その時点で指定されているコピー条件を示す情報を図示せぬＲＡＭ上の第１領域に一時記憶するようになっている。また、コピー操作ユニット１１は、コピー条件を示す情報を図示せぬＲＡＭ上の第１領域に記憶した後、スキャナ１２を制御してそのスキャナ１２から画像データを取得する処理を行うようになっている。さらに、コピー操作ユニット１１は、そのスキャナ１２から画像データを取得した後、コピー条件を含む制御コードとその画像データとからなるコピージョブデータをプリンタ１３に対して出力する処理を行うようになっている。なお、プリンタ１３は、このコピージョブデータが入力されると、そのコピージョブデータに含まれる制御コードに従った出力形態にて、それに含まれる画像データに基づく画像の用紙への印刷を行う。
【００１８】
コピー操作ユニット１１が、以上に説明したような処理を行うため、スキャナ１２が、複写処理における原稿読取処理を担当する機器として動作するようになり、また、プリンタ１３が、複写処理における印刷処理を担当する機器として動作するようになる。すなわち、スキャナ１２は、前述した原稿読取部に相当しており、プリンタ１３は、前述した印刷部に相当している。
【００１９】
次に、コピー操作ユニット１１がコピー条件を利用者から受け付ける際に実行する処理の流れについて、図２の流れ図を参照しながら、説明する。
【００２０】
コピー操作ユニット１１は、主電源が投入された後、デフォルト値を図示せぬＲＡＭに書き込む等の初期化処理を終えると、図示せぬＲＯＭ内のプログラムに従って、図２に係る処理を開始する。まず、コピー操作ユニット１１は、この時点で図示せぬＲＡＭ上の第１領域に一時記憶されているコピー条件に従った内容が示されたコピー基本画面を、図示せぬタッチスクリーンに表示する（Ｓ１０１）。図３は、コピー基本画面２１の一例を示す図である。
【００２１】
図３に示されるように、コピー基本画面２１には、カラーモード選択用ボタン群２１ａ，原稿タイプ選択用ボタン群２１ｂ，両面印刷選択用ボタン群２１ｃ，倍率選択用ボタン群２１ｄ，用紙選択用ボタン群２１ｅ，濃度選択ボタン群２１ｆ，ソート方法選択ボタン２１ｇ，プレビューボタン２１ｈ，及び、応用コピーボタン２１ｉが、含まれている。
【００２２】
このうち、カラーモード選択用ボタン群２１ａは、原稿の画像をカラー画像データとして取り込んで用紙にカラー印刷するフルカラーモード，及び、原稿の画像を白黒モノクロ画像データとして取り込んで用紙に白黒モノクロ印刷するモノクロモードの何れかを選択するためのボタンを、含んでいる。原稿タイプ選択用ボタン群２１ｂは、コピー対象の原稿が文字と写真とが混在するものであるか（混在タイプ）、文字のみが存在するものであるか（文字タイプ）、写真のみが存在するものであるか（写真タイプ）を選択するためのボタンを、含んでいる。
【００２３】
また、両面印刷選択用ボタン群２１ｃは、原稿の片面の画像を用紙の片面に印刷するか（片面→片面）、原稿の片面の画像を用紙の両面に印刷するか（片面→両面）、原稿の両面の画像を用紙の片面に印刷するか（両面→片面）、原稿の両面の画像を用紙の両面に印刷するか（両面→両面）を選択するためのボタンを、含んでいる。倍率選択用ボタン群２１ｄは、原稿の画像を拡大するときの倍率又は縮小するときの倍率を選択するためのボタンを、含んでいる。
【００２４】
また、用紙選択用ボタン群２１ｅは、画像が印刷される用紙の大きさを選択するためのボタンを、含んでいる。濃度選択ボタン群２１ｆは、用紙に印刷される画像の濃度を薄目又は濃い目に調整するためのボタンを、含んでいる。ソート方法選択ボタン２１ｇは、画像のページ順に並んだ束ごとに分けて用紙を排出するか（ページ順の束）、一つの画像ごとの束となるように分けて用紙を排出するか（ページ毎の束）を選択するためのボタンを、含んでいる。
【００２５】
そして、プレビューボタン２１ｈは、コピーを実際に実行する前に、その時点で図示せぬＲＡＭ上の第１領域に一時記憶されているコピー条件で仮にコピーが行われたとした場合におけるその用紙上での画像の形態を確認しようとする利用者によって、押下されるボタンである。
【００２６】
応用コピーボタン２１ｉは、コピーの実行を指示する前において、そのコピーの実行条件に、「割り付け」，「ページ連写」，「綴じ代」，「影消し」，「画質調整」の各機能の実行を加えようとする利用者によって、押下されるボタンである。
【００２７】
ここで、「割り付け」とは、複数枚の原稿から読み取った複数の画像を縮小してそれらが一枚の用紙に印刷されるように画像処理をする機能を言う。また、「ページ連写」とは、一枚の原稿上の画像を一対の画像ずつに分けてそれぞれの画像が別々の用紙に印刷されるように画像処理をする機能を言う。また、「綴じ代」とは、綴じ代として利用するための大きめの余白を確保した状態で画像が用紙に印刷されるように画像処理をする機能を言う。また、「影消し」とは、本（又は本の複写物）を原稿として使用する場合において、その原稿上の隣り合う一対のページの間にできる暗部や、ページの周囲にできる暗部を自動的に消すように画像処理をする機能を言い、「画質調整」とは、用紙に出力される画像の画質が原稿上の画像の画質から変更されるように画像処理をする機能を言う。
【００２８】
なお、コピー基本画面２１は、その時点で図示せぬＲＡＭの第１領域に記憶されているコピー条件の内容を表示するものとなっている。本実施形態では、デフォルトとして、カラーモード設定にはフルカラーが選択され、原稿タイプ設定には（混在タイプ）が選択され、両面印刷設定には（片面→片面）が選択され、倍率設定には等倍が選択され、用紙選択設定には自動が選択され、濃度設定には中間値が選択され、ソート設定には（ページ順の束）が選択されている。そして、図３に示されるコピー基本画面２１では、それらの選択内容に対応するボタンが、反転表示されている。つまり、図３は、デフォルトとして事前に図示せぬＥＥＰＲＯＭ等に登録されているコピー条件に従った内容を表示したコピー基本画面２１の例となっている。
【００２９】
コピー操作ユニット１１は、この図３に示されるようなコピー基本画面２１を、図示せぬタッチスクリーンに表示した後（Ｓ１０１）、このコピー基本画面２１上のボタン、又は、図示せぬ押しボタンのうちのスタートボタンが押下されるまで、待機する（Ｓ１０２；ＮＯ，Ｓ１０４；ＮＯ，Ｓ１０６；ＮＯ，Ｓ１０８；ＮＯ）。
【００３０】
そして、このような待機状態（Ｓ１０２；ＮＯ，Ｓ１０４；ＮＯ，Ｓ１０６；ＮＯ，Ｓ１０８；ＮＯ）において、コピー基本画面２１上のプレビューボタン２１ｈが押下されたときには（Ｓ１０２；ＹＥＳ）、コピー操作ユニット１１は、後述のプレビュー前処理を実行し（Ｓ１０３）、その後、そのプレビュー前処理によって変更されたコピー条件に応じた表示内容を持つ（反転表示対象となるボタンを変更した）コピー基本画面２１を図示せぬタッチスクリーンに表示して（Ｓ１０１）、再度、この待機状態に戻る（Ｓ１０２；ＮＯ，Ｓ１０４；ＮＯ，Ｓ１０６；ＮＯ，Ｓ１０８；ＮＯ）。
【００３１】
また、このような待機状態（Ｓ１０２；ＮＯ，Ｓ１０４；ＮＯ，Ｓ１０６；ＮＯ，Ｓ１０８；ＮＯ）において、コピー基本画面２１上の応用コピーボタン２１ｉが押下されたときには（Ｓ１０４；ＹＥＳ）、コピー操作ユニット１１は、後述の応用コピー設定受付処理を実行し（Ｓ１０５）、その後、その応用コピー設定受付処理によって変更されたコピー条件に応じた表示内容を持つ（反転表示対象となるボタンを変更した）コピー基本画面２１を図示せぬタッチスクリーンに表示して（Ｓ１０１）、再度、この待機状態に戻る（Ｓ１０２；ＮＯ，Ｓ１０４；ＮＯ，Ｓ１０６；ＮＯ，Ｓ１０８；ＮＯ）。
【００３２】
また、このような待機状態（Ｓ１０２；ＮＯ，Ｓ１０４；ＮＯ，Ｓ１０６；ＮＯ，Ｓ１０８；ＮＯ）において、コピー基本画面２１におけるプレビューボタン２１ｈ及び応用コピーボタン２１ｉ以外のボタン２１ａ〜２１ｇが押下されたときには（Ｓ１０６；ＹＥＳ）、コピー操作ユニット１１は、その押下されたボタンに応じた処理を実行し（Ｓ１０７）、その後、図示せぬＲＯＭの第１領域に記憶しているコピー条件を更新して、その処理によって変更されたコピー条件に応じた表示内容を持つ（反転表示対象となるボタンを変更した）コピー基本画面２１を図示せぬタッチスクリーンに表示し（Ｓ１０１）、再度、この待機状態に戻る（Ｓ１０２；ＮＯ，Ｓ１０４；ＮＯ，Ｓ１０６；ＮＯ，Ｓ１０８；ＮＯ）。
【００３３】
また、このような待機状態（Ｓ１０２；ＮＯ，Ｓ１０４；ＮＯ，Ｓ１０６；ＮＯ，Ｓ１０８；ＮＯ）において、図示せぬ押しボタンのうちのスタートボタンが押下されたときには（Ｓ１０８；ＹＥＳ）、コピー操作ユニット１１は、その時点で図示せぬＲＡＭの第１領域に記憶されているコピー条件に従った出力形態にて原稿台上の画像がコピーされるよう、スキャナ１２及びプリンタ１３の制御を開始する（Ｓ１０９）。その後、コピー操作ユニット１１は、図３に示されるようなコピー基本画面２１を、図示せぬタッチスクリーンに再度表示するようになる（Ｓ１０１）。
【００３４】
次に、図３に示されるようなコピー基本画面２１のプレビューボタン２１ｈが押下されたときに実行されるプレビュー前処理（Ｓ１０３）の流れについて、図４の流れ図を参照しながら、説明する。
【００３５】
処理開始後、コピー操作ユニット１１は、図示せぬタッチスクリーンに応用コピー設定実行選択画面を表示する（Ｓ２０１）。図５は、応用コピー設定実行選択画面２２の一例を示す図である。
【００３６】
図５に示されるように、応用コピー設定実行選択画面２２には、「する」ボタン２２ａ，「しない」ボタン２２ｂ，及び、キャンセルボタン２２ｃが、含まれている。このうち、「する」ボタン２２ａは、後述のプレビュー画面へ遷移する前に、コピーの実行条件に「割り付け」，「ページ連写」，「綴じ代」，「影消し」，「画質調整」の各機能の実行を加えようとする利用者によって、押下されるボタンである。「しない」ボタン２２ｂは、そのような応用コピーの各機能の実行をコピー条件に加えることなく後述のプレビュー画面へ遷移しようとする利用者によって、押下されるボタンである。キャンセルボタン２２ｃは、後述のプレビュー画面へ遷移することなく図３のコピー基本画面２１へ戻ろうとする利用者によって、押下されるボタンである。
【００３７】
コピー操作ユニット１１は、この図５に示されるような応用コピー設定実行選択画面２２を、図示せぬタッチスクリーンに表示した後（Ｓ２０１）、この応用コピー設定実行選択画面２２上のボタン２２ａ〜２２ｃのうちの一つが押下されるまで、待機する（Ｓ２０２；ＮＯ，Ｓ２０３；ＮＯ，Ｓ２０５；ＮＯ）。
【００３８】
そして、このような待機状態（Ｓ２０２；ＮＯ，Ｓ２０３；ＮＯ，Ｓ２０５；ＮＯ）において、応用コピー設定実行選択画面２２上のキャンセルボタン２２ｃが押下されたときには（Ｓ２０２；ＹＥＳ）、コピー操作ユニット１１は、図４に係るプレビュー前処理を終了する。なお、前述したように、図４に係るプレビュー前処理を終了すると（図２のＳ１０３）、コピー操作ユニット１１は、図３のようなコピー基本画面２１を図示せぬタッチスクリーンに表示することとなる（Ｓ１０１）。但し、応用コピー設定実行選択画面２２上のキャンセルボタン２２ｃを押下することによってコピー基本画面２１へ遷移したときには、このプレビュー前処理によってコピー条件に変更が生じていないので、図示せぬタッチスクリーンには、このプレビュー前処理を開始する前に表示されていたものと同じ表示内容のコピー基本画面２１が、表示されることとなる。
【００３９】
また、上記の待機状態（Ｓ２０２；ＮＯ，Ｓ２０３；ＮＯ，Ｓ２０５；ＮＯ）において、応用コピー設定実行選択画面２２上の「する」ボタン２２ａが押下されたときには（Ｓ２０３；ＹＥＳ）、コピー操作ユニット１１は、後述の応用コピー設定受付処理を実行し（Ｓ２０４）、図４に係るプレビュー前処理を終了する。なお、前述したように、図４に係るプレビュー前処理を終了すると（図２のＳ１０３）、コピー操作ユニット１１は、図３のようなコピー基本画面２１を図示せぬタッチスクリーンに表示することとなる（Ｓ１０１）。このとき、応用コピー設定実行選択画面２２上の「する」ボタン２２ａを押下して後述の応用コピー設定受付処理を経由してコピー基本画面２１へ遷移しているので、コピー条件に変更が生じている場合がある。この場合、図示せぬタッチスクリーンには、このプレビュー前処理を開始する前に表示されていたものとは表示内容の異なる（反転表示対象となるボタンが変更された）コピー基本画面２１が、表示されることとなる。
【００４０】
また、上記の待機状態（Ｓ２０２；ＮＯ，Ｓ２０３；ＮＯ，Ｓ２０５；ＮＯ）において、応用コピー設定実行選択画面２２上の「しない」ボタン２２ｂが押下されたときには（Ｓ２０５；ＹＥＳ）、コピー操作ユニット１１は、コピー条件の両面印刷設定において（片面→両面）が選択されているか否かを、判別する（Ｓ２０６）。そして、コピー条件の両面印刷設定において（片面→両面）が選択されていた場合（Ｓ２０６；ＹＥＳ）、コピー操作ユニット１１は、ワーニング画面を図示せぬタッチスクリーンに表示する処理を行って（Ｓ２０９）、後述のプレビュー処理を実行する（Ｓ２１０）。一方、コピー条件の両面印刷設定において（片面→両面）が選択されていなかった場合（Ｓ２０６；ＮＯ）、コピー操作ユニット１１は、そのようなワーニング画面の表示をすることなく、後述のプレビュー処理を実行する（Ｓ２１０）。なお、上記のワーニング画面には、後述のプレビュー画面を表示する前に行われる後述のプレスキャンにおいて複数枚の原稿が必要である旨が、記述されている。これは、コピー条件の両面印刷設定において（片面→両面）が選択されている場合には、その印刷だけではなく、プレスキャンにおいても、複数枚の原稿が必要となることを、利用者に通知しておく必要があるからである。
【００４１】
なお、図示していないが、上記の待機状態（Ｓ２０２；ＮＯ，Ｓ２０３；ＮＯ，Ｓ２０５；ＮＯ）において、何れのボタンも押下されないまま、所定時間経過したときには、コピー操作ユニット１１は、タイムアウト処理を行うようになっている。すなわち、この場合、コピー操作ユニット１１は、図４に係る処理から強制的に抜け出て、図３のコピー基本画面２１を、図示せぬタッチスクリーンに表示する（図２のＳ１０１）。
【００４２】
ところで、本実施形態では、後述するように、応用コピー設定受付処理（Ｓ２０４）は、その内部に、通常の処理経路とは別の経路として、プレビュー処理（Ｓ２１０）へジャンプするための経路を持つ。そして、処理の途中でプレビュー処理を行うために、この経路を通じてジャンプした場合、コピー操作ユニット１１は、その時点で、コピー条件に「割り付け」機能の実行が加えられているか否かを、判別するとともに（Ｓ２０７）、両面印刷設定において（片面→両面）が選択されているか否かを、判別する（Ｓ２０８）。そして、「割り付け」機能の実行がコピー条件に加えられている場合（Ｓ２０７；ＹＥＳ），又は、両面印刷設定において（片面→両面）が選択されていた場合（Ｓ２０８；ＹＥＳ）、コピー操作ユニット１１は、ワーニング画面を図示せぬタッチスクリーンに表示する処理を行って（Ｓ２０９）、後述のプレビュー処理を実行する（Ｓ２１０）。一方、「割り付け」機能の実行がコピー条件に加えられておらず、なおかつ、両面印刷設定において（片面→両面）が選択されてもいなかった場合（Ｓ２０７；ＮＯ，Ｓ２０８；ＮＯ）、コピー操作ユニット１１は、そのようなワーニング画面の表示をすることなく、後述のプレビュー処理を実行する（Ｓ２１０）。なお、コピー条件に「割り付け」機能が加えられている場合も、プレスキャンにおいて、複数枚の原稿が必要となるため、この場合も、上記のワーニング画面が、タッチスクリーンに表示されるようになっている。
【００４３】
そして、後述のプレビュー処理を実行した後（Ｓ２１０）、コピー操作ユニット１１は、図４に係るプレビュー前処理を終了する。なお、前述したように、プレビュー前処理を終了すると（図２のＳ１０３）、コピー操作ユニット１１は、図３のようなコピー基本画面２１を図示せぬタッチスクリーンに表示することとなる（Ｓ１０１）。このとき、応用コピー設定実行選択画面２２上の「する」ボタン２２ａ又は「しない」ボタン２２ｂを押下して後述のプレビュー処理を経由してコピー基本画面２１へ遷移しているので、このプレビュー前処理によってコピー条件に変更が生じている場合がある。この場合、図示せぬタッチスクリーンには、このプレビュー前処理を開始する前に表示されていたものとは表示内容の異なる（反転表示対象となるボタンが変更された）コピー基本画面２１が、表示されることとなる。
【００４４】
次に、図３のコピー基本画面２１の応用コピーボタン２１ｉが押下されたときに、又は、プレビューボタン２１ｈが押下された後において図５の応用コピー設定実行選択画面２２の「する」ボタン２２ａが押下されたときに実行される応用コピー設定受付処理（図２のＳ１０５，図４のＳ２０４）の流れについて、図６及び図７の流れ図を参照しながら、説明する。
【００４５】
処理開始後、コピー操作ユニット１１は、その時点で図示せぬＲＡＭ上の第１領域に一時記憶されているコピー条件をコピーしてそのＲＡＭの第２領域に書き出し、その第２領域に記憶するコピー条件に従った内容が示された応用コピー機能選択画面を、図示せぬタッチスクリーンに表示する（Ｓ３０１）。図８は、応用コピー機能選択画面２３の一例を示す図である。
【００４６】
図８に示されるように、応用コピー機能選択画面２３には、コピーの実行条件に「割り付け」，「ページ連写」，「綴じ代」，「影消し」，「画質調整」の各機能の実行を加えるか否かを選択するための五対の「しない」ボタン２３ａ〜２３ｅ及び「する」ボタン２３ｆ〜２３ｊが、含まれている。また、この応用コピー機能選択画面２３には、決定ボタン２３ｋ及びキャンセルボタン２３ｌが、含まれている。このうち、決定ボタン２３ｋは、コピー条件に加えるべき実行機能を選択して図３のコピー基本画面２１へ戻ろうとする利用者によって、押下されるボタンである。また、キャンセルボタン２３ｌは、コピー条件に加えるべき実行機能を選択することなく図３のコピー基本画面２１へ戻ろうとする利用者によって、押下されるボタンである。
【００４７】
なお、応用コピー機能選択画面２３は、その時点で図示せぬＲＡＭの第２領域に記憶されているコピー条件に加えるものとして選択された機能を表示するものとなっている。例えば、ＲＡＭの第２領域上のコピーの実行条件に「割り付け」，「ページ連写」，「綴じ代」，「影消し」，「画質調整」の何れの機能の実行も加えられていないときには、図８に示されるように、応用コピー機能選択画面２３における「割り付け」，「ページ連写」，「綴じ代」，「影消し」，「画質調整」の何れの機能とも、「しない」ボタン２３ａ〜２３ｅが、反転表示される。また、例えば、コピー実行条件に「割り付け」の機能の実行だけが加えられているときには、応用コピー機能選択画面２３における「割り付け」の「する」ボタン２３ｆだけが、反転表示され、残りの機能については、「しない」ボタン２３ｂ〜２３ｅが反転表示される。
【００４８】
コピー操作ユニット１１は、この図８に示されるような応用コピー機能選択画面２３を、図示せぬタッチスクリーンに表示した後（Ｓ３０１）、この応用コピー機能選択画面２３上のボタン２３ａ〜２３ｌのうちの一つが押下されるまで、待機する（Ｓ３０２；ＮＯ，Ｓ３０４；ＮＯ，Ｓ３１２；ＮＯ，Ｓ３１４；ＮＯ）。
【００４９】
そして、このような待機状態（Ｓ３０２；ＮＯ，Ｓ３０４；ＮＯ，Ｓ３１２；ＮＯ，Ｓ３１４；ＮＯ）において、応用コピー機能選択画面２３上の５個の「しない」ボタン２３ａ〜２３ｅのうちの何れかが押下されたときには（Ｓ３０２；ＹＥＳ）、コピー操作ユニット１１は、その「しない」ボタンに対応する機能の実行を、図示せぬＲＡＭの第２領域に一時記憶されているコピー条件から除外し（Ｓ３０３）、その後、その変更後のコピー条件に応じた（反転表示対象となるボタンが変更された）応用コピー機能選択画面２３を図示せぬタッチスクリーンに表示して（Ｓ３０１）、再度、この待機状態に戻る（Ｓ３０２；ＮＯ，Ｓ３０４；ＮＯ，Ｓ３１２；ＮＯ，Ｓ３１４；ＮＯ）。
【００５０】
また、このような待機状態（Ｓ３０２；ＮＯ，Ｓ３０４；ＮＯ，Ｓ３１２；ＮＯ，Ｓ３１４；ＮＯ）において、応用コピー機能選択画面２３上の５個の「する」ボタン２３ｆ〜２３ｊのうちの何れかが押下されたときには（Ｓ３０４；ＹＥＳ）、コピー操作ユニット１１は、その「する」ボタンに対応する機能の実行に必要な各パラメータの値を選択するための設定画面を図示せぬタッチスクリーンに表示する（Ｓ３０５）。
【００５１】
例えば、図８に示される応用コピー機能選択画面２３における「割り付け」の「する」ボタン２３ｆが押下されたときには、図９に示されるような割り付け用の設定画面２４が図示せぬタッチスクリーンに表示される。また、応用コピー機能選択画面２３における「ページ連写」の「する」ボタン２３ｇが押下されたときには、図１０に示されるようなページ連写用の設定画面２５が図示せぬタッチスクリーンに表示され、「影消し」の「する」ボタン２３ｉが押下されたときには、図１１に示されるような影消し用の設定画面２６が図示せぬタッチスクリーンに表示される。
【００５２】
図９乃至図１１に示される各機能用の設定画面２４〜２６は、何れも、その機能の実行に必要なパラメータの値の変更を行うためのパラメータボタン群２４ａ〜２６ａを、含んでおり、そのパラメータボタン群２４ａ〜２６ａのうちの何れかが押下されると、その設定画面２４〜２６に表示されるパラメータの値が変更され、或いは、パラメータの値を選択するためだけの機能を有する画面が表示される。また、図９乃至図１１に示される各機能用の設定画面２４〜２６は、何れも、決定ボタン２４ｂ〜２６ｂ及びキャンセルボタン２４ｃ〜２６ｃを、含んでいる。決定ボタン２４ｂ〜２６ｂは、その設定画面２４〜２６に表示されているパラメータの値でその機能の実行を決定しようとする利用者によって、押下されるボタンである。キャンセルボタン２４ｃ〜２６ｃは、その機能についての各パラメータの値の変更を取り止めようとする利用者によって、押下されるボタンである。さらに、図９乃至図１１に示される各機能用の設定画面２４〜２６は、何れも、プレビューボタン２４ｄ〜２６ｄを含んでいる。プレビューボタン２４ｄ〜２６ｄは、後述のプレビュー画面へ遷移しようとする利用者によって、押下されるボタンである。
【００５３】
そして、コピー操作ユニット１１は、応用コピー機能選択画面２３上で押下された「する」ボタンに対応する機能用の設定画面（図９乃至図１１参照）を、図示せぬタッチスクリーンに表示した後（Ｓ３０５）、この設定画面上のボタンのうちの一つが押下されるまで、待機する（Ｓ３０６；ＮＯ，Ｓ３０８；ＮＯ，Ｓ３１０；ＮＯ，Ｓ３１１；ＮＯ）。
【００５４】
そして、このような待機状態（Ｓ３０６；ＮＯ，Ｓ３０８；ＮＯ，Ｓ３１０；ＮＯ，Ｓ３１１；ＮＯ）において、その設定画面上のパラメータボタン群（図９乃至図１１では、２４ａ〜２６ａ）のうちの何れかが押下されたときには（Ｓ３０６；ＹＥＳ）、コピー操作ユニット１１は、そのボタンに対応するパラメータの値の表示を変更し、或いは、そのパラメータの値を選択するためだけの機能を有する画面を表示して利用者からパラメータの値の選択を受け付けることによってこの設定画面上でのそのパラメータの値の表示を変更して（Ｓ３０７）、再度、この待機状態に戻る（Ｓ３０６；ＮＯ，Ｓ３０８；ＮＯ，Ｓ３１０；ＮＯ，Ｓ３１１；ＮＯ）。
【００５５】
また、このような待機状態（Ｓ３０６；ＮＯ，Ｓ３０８；ＮＯ，Ｓ３１０；ＮＯ，Ｓ３１１；ＮＯ）において、その設定画面上の決定ボタン（図９乃至図１１では、２４ｂ〜２６ｂ）が押下されたときには（Ｓ３０８；ＹＥＳ）、コピー操作ユニット１１は、その設定画面に表示されているパラメータの値でその機能が実行されるよう、図示せぬＲＡＭの第２領域に記憶されているコピー条件を更新して（Ｓ３０９）、図８に示されるような応用コピー機能選択画面２３を図示せぬタッチスクリーンに表示する（Ｓ３０１）。なお、設定画面の決定ボタンの押下により図８の応用コピー機能選択画面２３へ遷移したときには、その設定画面の機能の実行がコピー条件に加わることとなるため、応用コピー機能選択画面２３においては、その機能の「する」ボタンが反転表示され、その機能の「しない」ボタンが通常表示されることとなる。
【００５６】
また、上記のような待機状態（Ｓ３０６；ＮＯ，Ｓ３０８；ＮＯ，Ｓ３１０；ＮＯ，Ｓ３１１；ＮＯ）において、その設定画面上のキャンセルボタン（図９乃至図１１では、２４ｃ〜２６ｃ）が押下されたときには（Ｓ３１０；ＹＥＳ）、コピー操作ユニット１１は、その設定画面に表示されているパラメータの値でのコピー条件の更新を取り止めて、図８に示されるような応用コピー機能選択画面２３を図示せぬタッチスクリーンに表示する（Ｓ３０１）。なお、設定画面のキャンセルボタンの押下により応用コピー機能選択画面２３へ遷移したときには、図示せぬＲＡＭの第２領域上のコピー条件は、その設定画面に表示されている各パラメータの値で更新されることはない。また、この設定画面を表示する前にその機能の実行がコピー条件に加わっていたときには、応用コピー機能選択画面２３においては、その機能の「する」ボタンが反転表示されることとなるが、この設定画面を表示する前にその機能の実行がコピー条件に加わっていなかったときには、応用コピー機能選択画面２３においては、その機能の「しない」ボタンが反転表示されることとなる。
【００５７】
また、上記のような待機状態（Ｓ３０６；ＮＯ，Ｓ３０８；ＮＯ，Ｓ３１０；ＮＯ，Ｓ３１１；ＮＯ）において、その設定画面上のプレビューボタン（図９乃至図１１では、２４ｄ〜２６ｄ）が押下されたときには（Ｓ３１１；ＹＥＳ）、コピー操作ユニット１１は、前述した図４のステップＳ２０７へジャンプして、後述のプレビュー処理の実行を開始する（Ｓ２１０）。
【００５８】
なお、図示していないが、上記の待機状態（Ｓ３０６；ＮＯ，Ｓ３０８；ＮＯ，Ｓ３１０；ＮＯ，Ｓ３１１；ＮＯ）において、何れのボタンも押下されないまま、所定時間経過したときには、コピー操作ユニット１１は、タイムアウト処理を行うようになっている。すなわち、この場合、コピー操作ユニット１１は、図６及び図７に係る処理から強制的に抜け出て、図３のコピー基本画面２１を、図示せぬタッチスクリーンに表示する（図２のＳ１０１）。
【００５９】
以上の説明が、図９乃至図１１に示されるような設定画面２４〜２６が表示された後に行われる処理（Ｓ３０６〜Ｓ３１１）についてのものである。そして、図８の応用コピー機能選択画面２３が表示された後の待機状態（Ｓ３０２；ＮＯ，Ｓ３０４；ＮＯ，Ｓ３１２；ＮＯ，Ｓ３１４；ＮＯ）の説明に戻る。
【００６０】
この待機状態（Ｓ３０２；ＮＯ，Ｓ３０４；ＮＯ，Ｓ３１２；ＮＯ，Ｓ３１４；ＮＯ）において、応用コピー機能選択画面２３上の決定ボタン２３ｋが押下されたときには（Ｓ３１２；ＹＥＳ）、コピー操作ユニット１１は、図示せぬＲＡＭの第２領域上のコピー条件で、そのＲＡＭの第１領域上のコピー条件を反映して確定させ（Ｓ３１３）、その後、図６及び図７に係る応用コピー設定受付処理を終了する。なお、この応用コピー設定受付処理を終了すると（図４のＳ２０４と図２のＳ１０３、又は、図２のＳ１０５）、前述したように、図３に示すようなコピー基本画面２１が図示せぬタッチスクリーンに表示されることとなる。このとき、図示せぬＲＡＭの第１領域上のコピー条件に、応用コピーの何れかの機能の実行が加わっているときには、そのコピー基本画面２１の応用コピーボタン２１ｉが、反転表示されることとなる。
【００６１】
また、上記のような待機状態（Ｓ３０２；ＮＯ，Ｓ３０４；ＮＯ，Ｓ３１２；ＮＯ，Ｓ３１４；ＮＯ）において、応用コピー機能選択画面２３上のキャンセルボタン２３ｌが押下されたときには（Ｓ３１４；ＹＥＳ）、コピー操作ユニット１１は、図示せぬＲＡＭの第２領域上のコピー条件で、そのＲＡＭの第１領域上のコピー条件を確定させることなく、図６及び図７に係る応用コピー設定受付処理を終了する。なお、この応用コピー設定受付処理を終了すると（図４のＳ２０４と図２のＳ１０３、又は、図２のＳ１０５）、前述したように、図３に示すようなコピー基本画面２１が図示せぬタッチスクリーンに表示されることとなるが、このときのコピー基本画面２１の表示内容は、応用コピー機能選択画面２３を表示させる前と同じになる。
【００６２】
なお、図示していないが、上記の待機状態（Ｓ３０２；ＮＯ，Ｓ３０４；ＮＯ，Ｓ３１２；ＮＯ，Ｓ３１４；ＮＯ）において、何れのボタンも押下されないまま、所定時間経過したときには、コピー操作ユニット１１は、タイムアウト処理を行うようになっている。すなわち、この場合、コピー操作ユニット１１は、図６及び図７に係る処理から強制的に抜け出て、図３のコピー基本画面２１を、図示せぬタッチスクリーンに表示する（図２のＳ１０１）。
【００６３】
次に、図３のコピー基本画面２１のプレビューボタン２１ｈの押下後において図５の応用コピー設定実行選択画面２２の「しない」ボタン２２ｂが押下されたとき（Ｓ１０２；ＹＥＳ，Ｓ２０５；ＹＥＳ）、又は、図５の応用コピー設定実行選択画面２２の「する」ボタンの押下後、若しくは、図３のコピー基本画面２１の応用コピーボタン２１ｉの押下後において図８の応用コピー機能選択画面２３の「する」ボタンが押下されて設定画面（図９乃至図１１参照）のプレビューボタンが押下されたとき（Ｓ１０２；ＹＥＳ，Ｓ２０３；ＹＥＳ，Ｓ３０４；ＹＥＳ，Ｓ３１１；ＹＥＳ，又は、Ｓ１０４；ＹＥＳ，Ｓ３０４；ＹＥＳ，Ｓ３１１；ＹＥＳ）に実行されるプレビュー処理（Ｓ２１０）の流れについて、図１２及び図１３の流れ図を参照しながら、説明する。
【００６４】
処理開始後、コピー操作ユニット１１は、低い解像度で画像データを取得する処理であるいわゆるプレスキャンが行われるようスキャナ１２を制御し、スキャナ１２から画像データを取得する（Ｓ４０１）。続いて、コピー操作ユニット１１は、その時点で図示せぬＲＡＭの第２領域にコピー条件を書き出していない場合には、そのＲＡＭの第１領域から第２領域へコピー条件を書き出した後、図１２及び図１３に係るプレビュー処理を開始するトリガとしてボタン押下が行われた画面に対応する内容のプレビュー画面を、図示せぬタッチスクリーンに表示する（Ｓ４０２）。
【００６５】
例えば、図５の応用コピー設定実行選択画面２２の「しない」ボタン２２ｂの押下がトリガである場合、図示せぬタッチスクリーンには、図１４に示されるようなプレビュー画面３１が表示される。また、図９乃至図１１に示されるような設定画面２４〜２６のプレビューボタン２４ｄ〜２６ｄの押下がトリガである場合、図示せぬタッチスクリーンには、図１５乃至図１７に示されるようなプレビュー画面３２〜３４が表示される。
【００６６】
何れのプレビュー画面３１〜３４にも、プレスキャンによって取得された画像データによる画像がプレビュー表示領域に示されているとともに、両面ボタン３１ａ〜３４ａ，倍率ボタン３１ｂ〜３４ｂ，用紙選択ボタン３１ｃ〜３４ｃ，キャンセルボタン３１ｄ〜３４ｄ，決定ボタン３１ｅ〜３４ｅが、含まれている。このうち、両面ボタン３１ａ〜３４ａは、図示せぬＲＡＭの第２領域に記憶されているコピー条件の両面印刷設定において（片面→両面）又は（両面→両面）が選択されている場合に機能するボタンであり、用紙の表面に印刷される画像のプレビューと用紙の裏面に印刷される画像のプレビューとを切り替えるトグルボタンとなっている。なお、用紙の表面へ印刷される画像が示されているときには、このボタンには、「両面裏」が記述され、用紙の裏面へ印刷される画像が示されているときには、このボタンには、「両面表」が記述される。また、この両面ボタン３１ａ〜３４ａは、機能しないときには、グレー表示され、押下できないようになる。倍率ボタン３１ｂ〜３４ｂは、倍率を選択するためだけの機能を有する画面を表示させるためのボタンであり、用紙選択ボタン３１ｃ〜３４ｃは、用紙のサイズを選択するためだけの機能を有する画面を表示させるためのボタンである。倍率ボタン３１ｂ〜３４ｂ及び用紙選択ボタン３１ｃ〜３４ｃは、図示せぬＲＡＭの第２領域に記憶されているコピー条件において応用コピーの「割り付け」や「ページ連写」の機能の実行が加えられていないときに機能するようになっている。従って、応用コピーの「割り付け」や「ページ連写」の機能の実行がコピー条件に加えられているときには、これら倍率ボタン３１ｂ〜３４ｂ及び用紙選択ボタン３１ｃ〜３４ｃは、機能しないようになる（グレー表示され、押下できないようになる）。また、キャンセルボタン３１ｄ〜３４ｄは、このプレビュー画面３１〜３４においてコピー条件を変更することなく図３のコピー基本画面２１に戻ろうとする利用者によって、押下されるボタンである。また、決定ボタン３１ｅ〜３４ｅは、このプレビュー画面３１〜２４において変更したコピー条件を確定させて図３のコピー基本画面２１に戻ろうとする利用者によって、押下されるボタンである。
【００６７】
また、何れのプレビュー画面３１〜３４にも、応用コピーの各機能のうちの一つについての設定に特化した内容のプレビュー画面を表示させるための機能ボタン群３１ｆ〜３４ｆが、含まれている。その機能ボタン群３１ｆ〜３４ｆは、本実施形態では６個のボタンからなり、何れかのボタンが押下されると、その時点で初めて設定する機能（図示せぬＲＡＭの第２領域に記憶されているコピー条件に加えられていない機能）のボタンであれば、その機能用の設定画面（図９乃至図１１参照）が表示され、その時点で既に設定されている機能（図示せぬＲＡＭの第２領域に記憶されているコピー条件に加えられている機能）のボタンであれば、その機能の設定に特化した内容のプレビュー画面（図１５乃至図１７参照）が表示されるようになっている。なお、図１５乃至図１７に示されるプレビュー画面３２〜３４は、図９乃至図１１の設定画面２４〜２６のプレビューボタン２４ｄ〜２６ｄを押下したときに表示されるプレビュー画面であると説明したが、プレビュー画面３１〜３４の機能ボタン群３１ｆ〜３４ｆのうち、既に設定されている機能のボタンを押下したときに表示されるプレビュー画面ともなっている。ここで、一つの機能の設定に特化した内容のプレビュー画面とは、その機能を実行するのに必要な各パラメータについてのボタン群３２ｇ〜３４ｇを、機能ボタン群３１ｆ〜３４ｆの隣に備えたプレビュー画面を言う。そのパラメータボタン群３２ｇ〜３４ｇは、その機能のパラメータの値を選択するためだけの機能を有するプレビュー画面を開くためのものとなっている。例えば、図１５に示されるように、「割り付け」機能の設定に特化したプレビュー画面３２のパラメータボタン群３２ｇは、原稿サイズ，用紙サイズ，及び、割付方法のボタンからなる。そして、原稿サイズのボタンが押下されると、図１８に示されるような原稿サイズを選択するためだけの機能を有するプレビュー画面３５が表示され、用紙サイズのボタンが押下されると、図１９に示されるような用紙サイズを選択するためだけの機能を有するプレビュー画面３６が表示され、割付方法のボタンが押下されると、図２０に示されるような割付方法を選択するためだけの機能を有するプレビュー画面３７が表示される。また、図１７に示されるように、「影消し」機能の設定に特化したプレビュー画面３４のパラメータボタン群３４ｇは、中央影消し及び枠影消しのボタンからなる。そして、枠影消しのボタンが押下されると、図２１に示されるような枠影消しの幅を選択するためだけの機能を有するプレビュー画面３８が表示される。なお、機能の設定に特化したプレビュー画面３２〜３４においては、その機能ボタン群３２ｆ〜３４ｆのうちのその機能に対応するボタンのみが、機能しないようになっている（グレー表示され、押下できないようになる）。但し、図１５に示されるような「割り付け」機能の設定に特化したプレビュー画面３２において、「ページ連写」機能のボタン３２ｆが押下されたときには、「割り付け」機能と「ページ連写」機能とが同時に実行できる機能ではないため、ワーニングが表示される。これは、図１６に示されるような「ページ連写」機能の設定に特化したプレビュー画面３３における「割り付け」機能ボタン３３ｆが押下されたときも同様である。
【００６８】
コピー操作ユニット１１は、このようなプレビュー画面（図１４乃至図１７参照）を、図示せぬタッチスクリーンに表示した後（Ｓ４０２）、このプレビュー画面上の複数のボタンのうちの一つが押下されるまで、待機する（Ｓ４０３；ＮＯ，Ｓ４０５；ＮＯ，Ｓ４１９；ＮＯ，Ｓ４２１；ＮＯ）。
【００６９】
そして、このような待機状態（Ｓ４０３；ＮＯ，Ｓ４０５；ＮＯ，Ｓ４１９；ＮＯ，Ｓ４２１；ＮＯ）において、プレビュー画面上のパラメータボタン群（図１５乃至図１７では３２ｇ〜３４ｇ、図１３には無い）のうちの何れかが押下されたときには（Ｓ４０３；ＹＥＳ）、コピー操作ユニット１１は、そのパラメータの値の変更を受け付けるための処理を実行する（Ｓ４０４）。この処理は、図１８乃至図２１に示されるようなプレビュー画面３５〜３８を通じて行われることとなるが、便宜上、図１８のプレビュー画面３５を使って具体的に説明する。コピー操作ユニット１１は、まず、そのようなプレビュー画面３５を図示せぬタッチスクリーンに表示した後、何れかのボタン３５ａ〜３５ｄが押下されるまで待機する。そして、コピー操作ユニット１１は、前述したようなタイムアウト処理（強制的に図３のコピー基本画面２１へ遷移する処理）が行われる前に、パラメータの値を変更するためのボタン３５ａが押下されたときには、そのプレビュー画面３５上の表示内容をその変更後の表示内容に切り替える。なお、ここで変更される表示内容としては、Ａ４からＢ４への変更のようにパラメータの値であってもよいが、プレスキャンによって取得された画像データによる画像であっても良い。例えば、図１７に示されているようにプレビュー画像においてその周縁部に暗部がある場合において、図２１のプレビュー画面３８においてボタン３８ａを押下してパラメータの値を変更することによって影消し幅を増加させると、図２１に示されるように、プレビュー画像は、その周縁部にあった暗部が除去された状態で表示されることとなる。なお、コピー操作ユニット１１は、図１８のプレビュー画面３５において、原稿サイズが変更されたときには、プレビューボタン３５ｄのグレー表示を解除して押下できるようにするとともに、再度プレスキャンとその表示（プレビュー）とが必要である旨をプレビュー表示領域に表示する。そして、前述したようなタイムアウト処理が行われる前に、このプレビューボタン３５ｄが押下されたときには、コピー操作ユニット１１は、プレスキャンを行い、プレスキャンによって得られた画像データに基づく画像をプレビュー画面に表示する。なお、プレビュー画面にプレビューボタンが存在するのは、値を変更した場合にプレスキャンが必要となるパラメータについてのプレビュー画面である。具体的な例としては、図１８に示されるような原稿サイズの値を選択するためだけの機能を有するプレビュー画面３５である。従って、この図１８のようなプレビュー画面以外の例えば図１９乃至図２１のプレビュー画面の場合には、プレビューボタンが存在しないので、この場合、プレスキャンは行われない。また、コピー操作ユニット１１は、図１８のプレビュー画面３５において、前述したようなタイムアウト処理が行われる前に決定ボタン３５ｂが押下された場合において、原稿サイズの変更があったにも拘わらずプレスキャンの実行及び表示が行われていなかったときには、プレビュー表示ができない旨のワーニング画面を表示し、原稿サイズの変更がなかったとき、或いは、原稿サイズの変更とプレスキャンの実行及び表示とがともに行われていたときには、その時点でそのプレビュー画面３５に表示されていた内容にて図示せぬＲＡＭの第２領域に記憶されるコピー条件を更新して表示を元の図１５のプレビュー画面３２に戻して元の待機状態へ移行する（Ｓ４０３；ＮＯ，Ｓ４０５；ＮＯ，Ｓ４１９；ＮＯ，Ｓ４２１；ＮＯ）。また、コピー操作ユニット１１は、前述したようなタイムアウト処理が行われる前に、キャンセルボタン３５ｃが押下されたときには、図示せぬＲＡＭの第２領域に記憶されるコピー条件を更新することなく表示を元の図１５のプレビュー画面３２に戻して元の待機状態へ移行する（Ｓ４０３；ＮＯ，Ｓ４０５；ＮＯ，Ｓ４１９；ＮＯ，Ｓ４２１；ＮＯ）。
【００７０】
また、上記のような待機状態（Ｓ４０３；ＮＯ，Ｓ４０５；ＮＯ，Ｓ４１９；ＮＯ，Ｓ４２１；ＮＯ）において、プレビュー画面上の機能ボタン群（図１４乃至図１７では、３１ｆ〜３４ｆ）のうちの何れかのボタンが押下されたときには（Ｓ４０５；ＹＥＳ）、コピー操作ユニット１１は、押下された機能ボタンに対応する機能が既に設定されている機能（図示せぬＲＡＭの第２領域に記憶されているコピー条件に加えられている機能）であるか否かを、判別する（Ｓ４０６）。
【００７１】
そして、プレビュー画面上において押下された機能ボタンが既に設定されている機能であった場合（Ｓ４０６；ＹＥＳ）、コピー操作ユニット１１は、当該機能の設定に特化したプレビュー画面（図１５乃至図１７参照）を図示せぬタッチスクリーンに表示して（Ｓ４１５）、再度、待機状態に戻る（Ｓ４０３；ＮＯ，Ｓ４０５；ＮＯ，Ｓ４１９；ＮＯ，Ｓ４２１；ＮＯ）。
【００７２】
一方、プレビュー画面上において押下された機能ボタンが既に設定されている機能ではなかった場合（Ｓ４０６；ＮＯ）、コピー操作ユニット１１は、当該機能用の設定画面（図９乃至図１１参照）を図示せぬタッチスクリーンに表示し（Ｓ４０７）、この設定画面上のボタンのうちの一つが押下されるまで、待機する（Ｓ４０９；ＮＯ，Ｓ４１１；ＮＯ，Ｓ４１６；ＮＯ，Ｓ４１８；ＮＯ）。
【００７３】
そして、このような待機状態（Ｓ４０９；ＮＯ，Ｓ４１１；ＮＯ，Ｓ４１６；ＮＯ，Ｓ４１８；ＮＯ）において、その設定画面上のパラメータボタン群（図９乃至図１１では、２４ａ〜２６ａ）のうちの何れかが押下されたときには（Ｓ４０９；ＹＥＳ）、コピー操作ユニット１１は、そのボタンに対応するパラメータの値の表示を変更し、或いは、そのパラメータの値を選択するためだけの機能を有する画面を表示して利用者からパラメータの値の選択を受け付けることによってこの設定画面上でのそのパラメータの値の表示を変更して（Ｓ４１０）、再度、この待機状態に戻る（Ｓ４０９；ＮＯ，Ｓ４１１；ＮＯ，Ｓ４１６；ＮＯ，Ｓ４１８；ＮＯ）。
【００７４】
また、上記のような待機状態（Ｓ４０９；ＮＯ，Ｓ４１１；ＮＯ，Ｓ４１６；ＮＯ，Ｓ４１８；ＮＯ）において、その設定画面上のプレビューボタン（図９乃至図１１では、２４ｄ〜２６ｄ）が押下されたときには（Ｓ４１１；ＹＥＳ）、コピー操作ユニット１１は、その時点で、コピー条件に「割り付け」機能の実行が加えられているか否かを、判別するとともに（Ｓ４１２）、両面印刷設定において（片面→両面）が選択されているか否かを、判別する（Ｓ４１３）。そして、「割り付け」機能の実行がコピー条件に加えられている場合（Ｓ４１２；ＹＥＳ），又は、両面印刷設定において（片面→両面）が選択されていた場合（Ｓ４１３；ＹＥＳ）、コピー操作ユニット１１は、ワーニング画面を図示せぬタッチスクリーンに表示する処理を行って（Ｓ４１４）、プレスキャンを実行し（Ｓ４０１）、その機能の設定に特化したプレビュー画面を図示せぬタッチスクリーンに表示する（Ｓ４０２）。一方、「割り付け」機能の実行がコピー条件に加えられておらず、なおかつ、両面印刷設定において（片面→両面）が選択されてもいなかった場合（Ｓ４１２；ＮＯ，Ｓ４１３；ＮＯ）、コピー操作ユニット１１は、そのようなワーニング画面の表示をすることなく、当該機能の設定に特化したプレビュー画面を図示せぬタッチスクリーンに表示して（Ｓ４１５）、待機状態に戻る（Ｓ４０３；ＮＯ，Ｓ４０５；ＮＯ，Ｓ４１９；ＮＯ，Ｓ４２１；ＮＯ）。
【００７５】
また、上記のような待機状態（Ｓ４０９；ＮＯ，Ｓ４１１；ＮＯ，Ｓ４１６；ＮＯ，Ｓ４１８；ＮＯ）において、その設定画面上の決定ボタン（図９乃至図１１では、２４ｂ〜２６ｂ）が押下されたときには（Ｓ４１６；ＹＥＳ）、コピー操作ユニット１１は、その設定画面に表示されているパラメータの値でその機能が実行されるよう、図示せぬＲＡＭの第２領域に記憶されているコピー条件を更新するとともに、図示せぬＲＡＭの第２領域上のコピー条件で、そのＲＡＭの第１領域上のコピー条件を反映して確定させ（Ｓ４１７）、その後、図１２及び図１３に係るプレビュー処理を終了する。なお、このプレビュー処理を終了すると、前述したように、図３に示すようなコピー基本画面２１が図示せぬタッチスクリーンに表示されることとなる。このとき、図示せぬＲＡＭの第１領域上のコピー条件に応用コピーの機能の実行が加わっているときには、そのコピー基本画面２１の応用コピーボタン２１ｉが、反転表示されることとなる。
【００７６】
また、上記のような待機状態（Ｓ４０９；ＮＯ，Ｓ４１１；ＮＯ，Ｓ４１６；ＮＯ，Ｓ４１８；ＮＯ）において、その設定画面上のキャンセルボタン（図９乃至図１１では、２４ｃ〜２６ｃ）が押下されたときには（Ｓ４１８；ＹＥＳ）、コピー操作ユニット１１は、その設定画面に表示されているパラメータの値でのコピー条件の更新を取り止めて、図示せぬＲＡＭの第２領域上のコピー条件でそのＲＡＭの第１領域上のコピー条件を確定させることなく、図１２及び図１３に係るプレビュー処理を終了する。なお、このプレビュー処理を終了すると、前述したように、図３に示すようなコピー基本画面２１が図示せぬタッチスクリーンに表示されることとなる。
【００７７】
なお、図示していないが、上記の待機状態（Ｓ４０９；ＮＯ，Ｓ４１１；ＮＯ，Ｓ４１６；ＮＯ，Ｓ４１８；ＮＯ）において、何れのボタンも押下されないまま、所定時間経過したときには、コピー操作ユニット１１は、タイムアウト処理を行うようになっている。すなわち、この場合、コピー操作ユニット１１は、図１２及び図１３に係る処理から強制的に抜け出て、図３のコピー基本画面２１を、図示せぬタッチスクリーンに表示する（図２のＳ１０１）。
【００７８】
以上の説明が、プレビュー画面上において、コピー条件に加えられていない機能の機能ボタンが押下された場合に行われる処理（Ｓ４０７〜Ｓ４１９）についてのものである。そして、プレビュー画面が表示された後の待機状態（Ｓ４０３；ＮＯ，Ｓ４０５；ＮＯ，Ｓ４１９；ＮＯ，Ｓ４２１；ＮＯ）の説明に戻る。
【００７９】
この待機状態（Ｓ４０３；ＮＯ，Ｓ４０５；ＮＯ，Ｓ４１９；ＮＯ，Ｓ４２１；ＮＯ）において、プレビュー画面上の決定ボタン（図１４乃至図１７では、３１ｅ〜３４ｅ）が押下されたときには（Ｓ４１９；ＹＥＳ）、コピー操作ユニット１１は、図示せぬＲＡＭの第２領域上のコピー条件で、そのＲＡＭの第１領域上のコピー条件を反映して確定させ（Ｓ４２０）、その後、図１２及び図１３に係るプレビュー処理を終了する。なお、このプレビュー処理を終了すると、前述したように、図３に示すようなコピー基本画面２１が図示せぬタッチスクリーンに表示されることとなる。このとき、図示せぬＲＡＭの第１領域上のコピー条件に応用コピーの機能の実行が加わっているときには、そのコピー基本画面２１の応用コピーボタン２１ｉが、反転表示されることとなる。
【００８０】
また、上記のような待機状態（Ｓ４０３；ＮＯ，Ｓ４０５；ＮＯ，Ｓ４１９；ＮＯ，Ｓ４２１；ＮＯ）において、プレビュー画面上のキャンセルボタン（図１４乃至図１７では、３１ｄ〜３４ｄ）が押下されたときには（Ｓ４２１；ＹＥＳ）、コピー操作ユニット１１は、図示せぬＲＡＭの第２領域上のコピー条件でそのＲＡＭの第１領域上のコピー条件を確定させることなく、図１２及び図１３に係るプレビュー処理を終了する。なお、このプレビュー処理を終了すると、前述したように、図３に示すようなコピー基本画面２１が図示せぬタッチスクリーンに表示されることとなるが、このときのコピー基本画面２１は、応用コピー機能選択画面２３を表示させる前と同じ表示内容となる。
【００８１】
なお、図示していないが、上記の待機状態（Ｓ４０３；ＮＯ，Ｓ４０５；ＮＯ，Ｓ４１９；ＮＯ，Ｓ４２１；ＮＯ）において、何れのボタンも押下されないまま、所定時間経過したときには、コピー操作ユニット１１は、タイムアウト処理を行うようになっている。すなわち、この場合、コピー操作ユニット１１は、図１２及び図１３に係る処理から強制的に抜け出て、図３のコピー基本画面２１を、図示せぬタッチスクリーンに表示する（図２のＳ１０１）。
【００８２】
次に、本実施形態の複写機１０の作用及び効果について、説明する。
【００８３】
前述したように、本実施形態の複写機１０では、図３のコピー基本画面２１のプレビューボタン２１ｈが押下されると（Ｓ１０１，Ｓ１０２；ＹＥＳ）、図５の応用コピー設定実行選択画面２２において応用コピーの機能の実行をコピー条件に含むかどうかが問われ（Ｓ２０１）、応用コピーの機能の実行をコピー条件に含まないことが選択されると（Ｓ２０２；ＮＯ，Ｓ２０３；ＮＯ，Ｓ２０４；ＹＥＳ）、図１３のプレビュー画面３１が表示される（Ｓ４０１，Ｓ４０２）。そして、この図１３のプレビュー画面３１の決定ボタン３１ｅを押下すると（Ｓ４１６；ＹＥＳ）、図３のコピー基本画面２１に戻る（Ｓ１０１）。従って、利用者は、その時点のコピー条件に従ってコピーを仮に行ったときの印刷結果を、コピーの実行を指示する前にプレビュー画面にて確認することができる。
【００８４】
また、本実施形態の複写機１０では、図３のコピー基本画面２１のプレビューボタン２１ｈが押下された後（Ｓ１０１，Ｓ１０２；ＹＥＳ）、図５の応用コピー設定実行選択画面２２において、応用コピーの機能の実行をコピー条件に含むことが選択されると（Ｓ２０２；ＮＯ，Ｓ２０３；ＹＥＳ）、図８の応用コピー機能設定画面２３が表示される（Ｓ３０１）。また、図３のコピー基本画面２１の応用コピーボタン２１ｉが押下されても（Ｓ１０４；ＹＥＳ）、図８の応用コピー機能設定画面２３が表示される（Ｓ３０１）。
【００８５】
このようにして表示された応用コピー機能設定画面２３では、何れかの「する」ボタン２３ｆ〜２３ｊが押下されると、その押下されたボタンに対応する機能の設定画面が表示される（Ｓ３０４；ＹＥＳ）。
【００８６】
従来、応用コピーの機能に係る設定を行うための画面には、プレビュー画面へ遷移するためのボタンは、存在していなかったが、本実施形態では、設定画面２４〜２６にプレビューボタン２４ｄ〜２６ｄを備えており、その応用コピーの機能に係る設定をパラメータボタン群２４ａ〜２６ａを通じて行ったときの画像の形態を、プレビューボタン２４〜２６の押下により表示されるプレビュー画面３２〜３４において、用紙に印刷することなく確認することができるようになっている。
【００８７】
然も、設定画面２４〜２６からプレビュー画面３２〜３４へ遷移した後でも、そのプレビュー画面３２〜３４には、その機能を実行するために必要なパラメータを選択するための手段として、パラメータボタン群３２ｇ〜３４ｇが、備えられている。このため、プレビュー画面３２〜３４へ遷移した後で、わざわざ元の設定画面２４〜２６へ戻らなくても、パラメータの選択に取り掛かれるようになっている。
【００８８】
さらには、設定画面２４〜２６からプレビュー画面３２〜３４へ遷移した後において、別の機能の実行をコピー条件に加える必要が生じた場合でも、そのプレビュー画面３２〜３４には、機能ボタン群３２ｆ〜３４ｆが備えられているため、わざわざ、図８の応用コピー機能選択画面２３まで戻らなくても、別の機能についての設定に簡単に取り掛かれるようになっている（Ｓ４０５；ＹＥＳ，Ｓ４０６〜Ｓ４１８）。
【００８９】
そのうえ、プレビュー画面３２〜３４では、決定ボタンが押下されたときには、図８の応用コピー機能選択画面２３に戻ることなく、図３のコピー基本画面２１に戻るようになっている（Ｓ４１６；ＹＥＳ，Ｓ２１０，Ｓ１０５，Ｓ１０１）。つまり、図３のコピー基本画面２１に簡単に戻れるようになっている。
【図面の簡単な説明】
【００９０】
【図１】本実施形態の複写機の構成図
【図２】コピー条件を利用者から受け付ける際に実行する処理の流れを示す図
【図３】コピー基本画面の一例を示す図
【図４】プレビュー前処理の流れを示す図
【図５】応用コピー設定実行選択画面の一例を示す図
【図６】応用コピー設定受付処理の流れを示す図
【図７】応用コピー設定受付処理の流れを示す図
【図８】応用コピー機能選択画面の一例を示す図
【図９】割り付け用の設定画面の一例を示す図
【図１０】ページ連写用の設定画面の一例を示す図
【図１１】影消し用の設定画面の一例を示す図
【図１２】プレビュー処理の流れを示す図
【図１３】プレビュー処理の流れを示す図
【図１４】プレビュー画面の一例を示す図
【図１５】プレビュー画面の一例を示す図
【図１６】プレビュー画面の一例を示す図
【図１７】プレビュー画面の一例を示す図
【図１８】プレビュー画面の一例を示す図
【図１９】プレビュー画面の一例を示す図
【図２０】プレビュー画面の一例を示す図
【図２１】プレビュー画面の一例を示す図
【符号の説明】
【００９１】
１０  複合機
１１  コピー操作ユニット
１２  スキャナ
１３  プリンタ
【図１】
2006279885.tif 000003
【図２】
2006279885.tif 000004
【図３】
2006279885.tif 000005
【図４】
2006279885.tif 000006
【図５】
2006279885.tif 000007
【図６】
2006279885.tif 000008
【図７】
2006279885.tif 000009
【図８】
2006279885.tif 000010
【図９】
2006279885.tif 000011
【図１０】
2006279885.tif 000012
【図１１】
2006279885.tif 000013
【図１２】
2006279885.tif 000014
【図１３】
2006279885.tif 000015
【図１４】
2006279885.tif 000016
【図１５】
2006279885.tif 000017
【図１６】
2006279885.tif 000018
【図１７】
2006279885.tif 000019
【図１８】
2006279885.tif 000020
【図１９】
2006279885.tif 000021
【図２０】
2006279885.tif 000022
【図２１】
2006279885.tif 000023